(57)【要約】【課題】  色キーを用いて所望のコンテンツを直観的で且つ容易に検索することができるリモコンの色キーを用いたコンテンツ検索方法を提供する。【解決手段】  本発明の一側面による映像処理装置を、映像を処理して表示する映像処理部と、所定の色キー信号を受信する受信部と、該所定の色キー信号を受信すると、該色に対応するコンテンツを表示するように映像処理部を制御する制御部と、を含む。【選択図】      図２
2011070656.tif 000002
【特許請求の範囲】
【請求項１】
映像を処理して表示する映像処理部と、
色キー信号を受信する受信部と、
前記色キー信号を受信すると、前記色に対応するコンテンツを表示するように前記映像処理部を制御する制御部と、
を含む映像処理装置。
【請求項２】
前記色に対応するコンテンツは、前記色を含むコンテンツである、請求項１に記載の映像処理装置。
【請求項３】
前記制御部は、前記色キー信号を同時に少なくとも二つ以上受信すると、これら受信した色を組み合わせて得られる色を含むコンテンツを表示するように前記映像処理部を制御する、請求項２に記載の映像処理装置。
【請求項４】
前記制御部は、前記色キー信号を順次に少なくとも二つ以上受信すると、受信した順番で前記色を含むコンテンツを順次に表示するように前記映像処理部を制御する、請求項２に記載の映像処理装置。
【請求項５】
前記制御部は、前記色を臨界比率以上含むコンテンツを表示するように前記映像処理部を制御する、請求項２に記載の映像処理装置。
【請求項６】
前記色に対応するコンテンツは、前記色に対応するカテゴリーに該当するコンテンツである、請求項１に記載の映像処理装置。
【請求項７】
前記色に対応するコンテンツは、前記色に対応するジャンルのコンテンツである、請求項１に記載の映像処理装置。
【請求項８】
前記制御部は、カテゴリーに対応する色をユーザが設定するためのユーザインターフェースを提供する、請求項６に記載の映像処理装置。
【請求項９】
前記制御部は、前記色キー信号の受信回数及び受信時間のうち少なくとも一つによって前記コンテンツの表示方式を替えるように前記映像処理部を制御する、請求項１に記載の映像処理装置。
【請求項１０】
前記コンテンツは、イメージ、動映像、文書及び放送のうち少なくとも一つを含む、請求項１に記載の映像処理装置。
【請求項１１】
色キー信号を受信するステップと、
前記色キー信号を受信すると、前記色に対応するコンテンツを表示するステップと、
を含む映像処理方法。
【請求項１２】
前記色に対応するコンテンツは、前記色を含むコンテンツである、請求項１１に記載の映像処理方法。
【請求項１３】
前記色キー信号を同時に少なくとも二つ以上受信すると、これら受信した色を組み合わせて得られる色を含むコンテンツを表示する、請求項１２に記載の映像処理方法。
【請求項１４】
前記色キー信号を順次に少なくとも二つ以上受信すると、受信した順番で前記色を含むコンテンツを順次に表示する、請求項１２に記載の映像処理方法。
【請求項１５】
前記色に対応するコンテンツは、前記色に対応するカテゴリーに該当するコンテンツである、請求項１１に記載の映像処理方法。
【発明の詳細な説明】
【技術分野】
【０００１】
本発明は、映像処理装置及び映像処理方法に係り、より詳細には、リモコンの色キーを用いて所望のコンテンツを直観的に且つ容易に検索できるコンテンツ検索方法を提供する映像処理装置及び映像処理方法に関するものである。
【背景技術】
【０００２】
映像処理装置に記憶されたコンテンツ、または映像処理装置に連結された外部記憶媒体に記憶されたコンテンツを検索する場合、ユーザは複数段階のキー入力を行わなければならない。例えば、特定色の写真を検索しようとする場合、写真ブラウザーに進入する段階→整列方法を“フォルダを見る（基本で見る）”から“色別に見る”に変更する段階→カラー別に写真を検索する段階を順に行わなければならない。この場合、ユーザは、メディアプレイにおいて‘色別に見る’を選択した後、左右ボタンにより所望のカラーを選択することで該当の写真を見ることができる。また、所望の写真を選択するには、ハイライトを再び下方に移して写真を選択しなければならない。仮に、別のカラーを選択する場合には、再びハイライトを上方に移して色を替えなければならない。
【０００３】
結局として、所望の色の写真を見るために、ユーザはリモコンの４方向キーでハイライトを多数回移動しなければならない。
【発明の概要】
【発明が解決しようとする課題】
【０００４】
したがって、本発明の目的は、色キーを用いて所望のコンテンツを直観的に且つ容易に検索できる、リモコンの色キーを用いたコンテンツ検索方法を提供することにある。
【課題を解決するための手段】
【０００５】
上記目的は、本発明の一側面による映像処理装置であって、映像を処理して表示する映像処理部と、所定の色キー信号を受信する受信部と、前記所定の色キー信号を受信すると、前記色に対応するコンテンツを表示するように前記映像処理部を制御する制御部と、を含む映像処理装置によって達成される。
【０００６】
上記映像処理装置において、前記色に対応するコンテンツは、前記色を含むコンテンツでありうる。上記映像処理装置において、前記制御部は、前記所定の色キー信号を同時に少なくとも一つ以上受信すると、これら受信した色を組み合わせて得られる色を含むコンテンツを表示するように前記映像処理部を制御することができる。上記映像処理装置において、前記制御部は、前記所定の色キー信号を順次に少なくとも一つ以上受信すると、受信した順番で前記色を含むコンテンツを順次に表示するように前記映像処理部を制御することができる。上記映像処理装置において、前記制御部は、前記色を所定比率以上含むコンテンツを表示するように前記映像処理部を制御することができる。上記映像処理装置において、前記色に対応するコンテンツは、前記色に対応するカテゴリーに該当するコンテンツでありうる。上記映像処理装置において、前記色に対応するコンテンツは、前記色に対応するジャンルのコンテンツでありうる。上記映像処理装置において、前記制御部は、コンテンツジャンルに対応する色をユーザが設定するためのユーザインターフェースを提供することができる。上記映像処理装置において、前記制御部は、前記所定の色キー信号の受信回数及び受信時間のうち少なくとも一つによって前記コンテンツの表示方式を替えるように前記映像処理部を制御することができる。上記映像処理装置において、前記コンテンツは、イメージ、動映像、文書及び放送のうち少なくとも一つを含むことができる。
【０００７】
一方、上記目的は、本発明の他の側面による映像処理方法であって、所定の色キー信号を受信するステップと、前記所定の色キー信号を受信すると、前記色に対応するコンテンツを表示するステップと、を含む映像処理方法によって達成される。
【０００８】
上記映像処理方法において、前記色に対応するコンテンツは、前記色を含むコンテンツでありうる。上記映像処理方法において、前記所定の色キー信号を同時に少なくとも一つ以上受信すると、これら受信した色を組み合わせて得られる色を含むコンテンツを表示することができる。上記映像処理方法において、前記所定の色キー信号を順次に少なくとも一つ以上受信すると、受信した順番で前記色を含むコンテンツを順次に表示することができる。上記映像処理方法において、前記色を所定比率以上含むコンテンツを表示することができる。上記映像処理方法において、前記色に対応するコンテンツは、前記色に対応するカテゴリーに該当するコンテンツでありうる。上記映像処理方法において、前記色に対応するコンテンツは、前記色に対応するジャンルのコンテンツでありうる。上記映像処理方法において、コンテンツジャンルに対応する色をユーザが設定するためのユーザインターフェースを提供することができる。上記映像処理方法において、前記所定の色キー信号の受信回数及び受信時間のうち少なくとも一つによって前記コンテンツの表示方式を替えることができる。上記映像処理方法において、前記コンテンツは、イメージ、動映像、文書及び放送のうち少なくとも一つを含むことができる。
【発明の効果】
【０００９】
以上の如く、本発明によれば、一度の色キー入力により所望のコンテンツを直ちに検索することができ、ユーザが多数の段階を経る不便さを低減することができる。さらに、色キーに音楽、動映像などのカテゴリー名またはジャンルをマッピングすることによって、一度の色キー入力のみで所望のカテゴリーまたはジャンルのコンテンツを容易に検索することができる。
【００１０】
なお、色キーは、特別な操作法が要らず、色を区別できるユーザであれば誰でも容易に使用できるので、ユーザに普遍的なＵＩ（Universal  UI）を提供することができる。
【図面の簡単な説明】
【００１１】
【図１】本発明の一実施例による映像処理装置の構成を示す図である。
【図２】本発明の一実施例によって検索されたコンテンツを示す図である。
【図３】本発明の他の実施例によって検索されたコンテンツを示す図である。
【図４】本発明のさらに他の実施例によって検索されたコンテンツを示す図である。
【図５】本発明のさらに他の実施例によって検索されたコンテンツを示す図である。
【図６】本発明のさらに他の実施例によって検索されたコンテンツを示す図である。
【図７】本発明の一実施例によるコンテンツ検索過程を示すフローチャートである。
【図８】本発明の他の実施例によるコンテンツ検索過程を示すフローチャートである。
【発明を実施するための形態】
【００１２】
以下、添付の図面を参照しつつ、本発明の実施例について、本発明の属する技術分野における通常の知識を有する者が容易に実施できるように詳細に説明する。本発明は、様々な形態で具現できるもので、ここで説明される実施例に限定されない。本発明の明確な説明のために、余計な部分についての説明は適宜省略し、明細書全体を通じて同一または類似の構成要素には同一の参照符号を付ける。
【００１３】
図１は、本発明の一実施例による映像処理装置の構成を示す図である。
【００１４】
本発明の一実施例による映像処理装置１００は、ＴＶ、ＰＣ、移動端末、ＤＶＤ（Digital  Versatile  Disc）プレーヤーなどとすることができる。これに限定されず、多数の機能を行うもので、これら多数の機能をキー入力を通じて具現できる電子デバイスであればいずれも、本発明の一実施例による映像処理装置１００とすることができる。
【００１５】
本発明の一実施例による映像処理装置１００は、映像処理部１１０、受信部１２０、制御部１３０及び記憶部１４０を含むことができる。
【００１６】
映像処理部１１０は、映像を処理して表示することができる。具体的に、映像処理部１１０は、特定カテゴリーまたは特定ジャンルに属するコンテンツを表示することができる。該コンテンツは、イメージ、動映像、文書及び放送のうち少なくとも一つを含むことができる。
【００１７】
一方、映像処理部１１０は、液晶表示装置（Liquid  Crystal  Display:LCD）、有機発光ダイオード（Organic  Light  Emitting  Diode:OLED）及びプラズマ表示パネル（Plasma  Display  Panel:PDP）等の形態で具現されるディスプレイパネルを含むことができる。
【００１８】
受信部１２０は、所定の色キー信号を受信することができる。
【００１９】
一実施例によれば、受信部１２０は、リモコンなどの制御デバイス150から送信される色キー信号を受信することができる。この場合、ユーザは、制御デバイス150に設けられた色キーを入力することができる。
【００２０】
他の実施例によれば、受信部１２０は、映像処理装置１００に設けられたキーボタンから入力される色キー信号を受信することができる。この場合、ユーザは、映像処理装置１００に設けられた色キーを入力することができる。
【００２１】
制御部１３０は、所定の色キー信号を受信すると、当該色に対応するコンテンツを表示するように映像処理部１１０を制御することができる。
【００２２】
一実施例によれば、色に対応するコンテンツは、当該色を含むコンテンツでありうる。
【００２３】
制御部１３０は、所定の色キー信号を受信すると、当該色を含むコンテンツを表示するように映像処理部１１０を制御することができる。この場合、制御部１３０は、当該色を臨界比率以上含むコンテンツを表示するように映像処理部１１０を制御することができる。
【００２４】
制御部１３０は、所定の色キー信号を同時に少なくとも二つ以上受信すると、これら受信した色を組み合わせて得られる色を含むコンテンツを表示するように映像処理部１１０を制御することができる。例えば、仮に、受信部１２０が赤色の色キーと黄色の色キーを同時に受信すると、制御部１３０は、赤色と黄色とを混合して得られる橙色を含むコンテンツを表示するように映像処理部１１０を制御することができる。
【００２５】
また、制御部１３０は、所定の色キー信号を順次に少なくとも二つ以上受信すると、受信した順番で当該色を含むコンテンツを順次に表示するように映像処理部１１０を制御することができる。
【００２６】
他の実施例によれば、色に対応するコンテンツは、当該色に対応するカテゴリーに該当するコンテンツでありうる。
【００２７】
制御部１３０は、所定の色キー信号を受信すると、当該色に対応して設定されたカテゴリーに属するコンテンツを表示するように映像処理部１１０を制御することができる。
【００２８】
他の実施例によれば、色に対応するコンテンツは、当該色に対応するジャンルのコンテンツでありうる。
【００２９】
制御部１３０は、所定の色キー信号を受信すると、当該色に対応して設定されたジャンルに属するコンテンツを表示するように映像処理部１１０を制御することができる。
【００３０】
この場合、制御部１３０は、コンテンツジャンルに対応する色をユーザが設定するためのユーザインターフェースを提供することができる。
【００３１】
一方、制御部１３０は、所定の色キー信号の受信回数及び受信時間のうち少なくとも一つによってコンテンツの表示方式を替えるように映像処理部１１０を制御することができる。
【００３２】
記憶部１４０は、色、カテゴリー及びジャンルのうち少なくとも一つを基準にしてコンテンツを分類して記憶することができる。
【００３３】
図２は、本発明の一実施例によって検索されたコンテンツを示す図である。
【００３４】
本発明の一実施例によれば、映像処理装置１００は、所定の色キー信号を受信すると、当該色を含むコンテンツを表示することができる。
【００３５】
図２に示すように、ユーザが、リモコンの色キーのうち赤色のキー１を入力すると、映像処理装置１００は、赤色を主とする写真のみを検索して画面２００にディスプレイする。これにより、ユーザは、一度の色キー入力だけでも所望の色のコンテンツを直ちに検索することができる。
【００３６】
図３は、本発明の他の実施例によって検索されたコンテンツを示す図である。
【００３７】
本発明の他の実施例によれば、映像処理装置１００は、所定の色キー信号を同時に少なくとも二つ以上受信すると、これら受信した色を組み合わせて得られる色を含むコンテンツを表示することができる。
【００３８】
図３に示すように、ユーザがリモコンの色キーのうち、赤色のキー１と黄色のキー２を同時に入力すると、映像処理装置１００は、赤色と黄色との組み合わせによって得られる橙色を主とする写真のみを検索して画面３００にディスプレイする。仮に、ユーザが、同様にして、赤色のキー１と青色のキー４を同時に入力すると、映像処理装置１００は、紫色を主とする写真のみを検索してディスプレイする。ユーザは、三つ以上のキーを同時に入力することもできる。これにより、ユーザは、色キーの組み合わせで多様な色の写真を直ちに検索することができる。
【００３９】
図４は、本発明のさらに他の実施例によって検索されたコンテンツを示す図である。
【００４０】
本発明のさらに他の実施例によれば、映像処理装置１００は、所定の色キー信号を順次に少なくとも二つ以上受信すると、受信した順番で当該色を含むコンテンツを順次に表示することができる。
【００４１】
図４に示すように、ユーザが、リモコンの色キーのうち、赤色のキー１を入力した後、黄色のキー２を順次に入力すると、映像処理装置１００は、赤色を主とする写真及び黄色を主とする写真を検索して画面４００にディスプレイする。この場合、色キーの入力順に従って赤色を主とする写真を優先順位としてディスプレイすることができる。図４を参照すると、左上端から順次にディスプレイされた６枚の写真は、図２に示す赤色を主とする写真であり、それ以降に順次にディスプレイされた６枚の写真は、黄色を主とする写真である。これにより、ユーザは、多様な色の写真を一度で直ちに検索することができる。
【００４２】
変形された実施例によれば、映像処理装置１００は、所定の色キー信号を同時に少なくとも二つ以上受信すると、これら受信した色を全て含むコンテンツを表示することができる。例えば、ユーザがリモコンの色キーのうち赤色のキー１と黄色のキー２を入力すると、映像処理装置１００は、赤色、黄色の両方を主とする写真のみを検索してディスプレイすることができる。
【００４３】
図５は、本発明のさらに他の実施例によって検索されたコンテンツを示す図である。
【００４４】
本発明のさらに他の実施例によれば、映像処理装置１００は、所定の色キー信号を受信すると、当該色に対応して設定されたカテゴリーに属するコンテンツを表示することができる。
【００４５】
このために、ユーザは、それぞれの色キーに特定カテゴリーのコンテンツを対応して設定することができる。例えば、赤色のキー１は音楽、黄色のキー２は動映像、緑色のキー３はイメージ、青色のキー４は放送、赤色のキー１及び黄色のキー２は文書などをマッピングすることができる。４個の色キーを用いると、最大１２種のカテゴリーに該当するコンテンツを直ちに検索することができる。ただし、使用される色キーの個数に従ってカテゴリーの最大数は可変する。
【００４６】
図５に示すように、ユーザがリモコンの色キーのうち赤色のキー１を入力すると、映像処理装置１００は、音楽カテゴリーに属するコンテンツのみを検索して画面５００にディスプレイする。これにより、ユーザは、一度の色キー入力だけでも所望のカテゴリーのコンテンツを直ちに検索することができる。
【００４７】
変形された実施例によれば、映像処理装置１００は、所定の色キー信号を受信すると、当該色に対応して設定されたジャンルに属するコンテンツを表示することができる。この場合、制御部１３０は、コンテンツジャンルに対応する色をユーザが設定するためのユーザインターフェースを提供することができる。例えば、赤色のキー１はジャズ、黄色のキー２はポップ、緑色のキー３はクラシック、青色のキー４は歌謡などをマッピングすることができる。仮に、ユーザがリモコンの色キーのうち赤色のキー１を入力すると、映像処理装置１００は、ジャズジャンルに属するコンテンツのみを検索してディスプレイする。
【００４８】
図６は、本発明のさらに他の実施例によって検索されたコンテンツを示す図である。
【００４９】
本発明のさらに他の実施例によれば、映像処理装置１００は、所定の色キー信号の受信回数及び受信時間のうち少なくとも一つによってコンテンツの表示方式を替えることができる。具体的に、色に対応して設定されたカテゴリーのコンテンツを検索するとともに、これをジャンル別に分類してディスプレイすることができる。
【００５０】
このために、ユーザは、それぞれの色キーに特定カテゴリーのコンテンツを、それぞれの色キーの入力回数及び入力時間に特定表示方式を対応付けて設定することができる。例えば、赤色のキー１は音楽、黄色のキー２は動映像、緑色のキー３はイメージ、青色のキー４は放送、赤色のキー１及び黄色のキー２は文書などをマッピングすることができる。また、連続して２回押す動作はジャンル別に分類して表示する動作、長く押す動作は最新の記憶日の順に表示する動作などとしてマッピングすることができる。
【００５１】
図６に示すように、ユーザがリモコンの色キーのうち赤色のキー１を連続して２回入力すると、映像処理装置１００は、音楽カテゴリーに属するコンテンツのみを検索してディスプレイするとともに、これをジャンル別に分類してディスプレイする。具体的に、画面６００には、音楽カテゴリーのコンテンツがＡジャンル６１０、Ｂジャンル６２０、Ｃジャンル６３０に区別して表示される。
【００５２】
一方、図２乃至図６に示された実施例では、ユーザが制御デバイス１５０に設けられた色キーを介して入力を行う場合を仮定したが、変形された実施例では、ユーザは、映像処理装置１００に設けられた色キーを介して入力を行うこともできる。
【００５３】
図７は、本発明の一実施例によるコンテンツ検索過程を示すフローチャートである。
【００５４】
映像処理装置１００は、所定の色キー信号を受信する（Ｓ７０１）。
【００５５】
この場合、映像処理装置１００は、多数の色キー信号が受信されるか否か判断する（Ｓ７０２）。
【００５６】
多数の色キー信号が受信される場合でないと（Ｓ７０２でＮＯ）、映像処理装置１００は、当該色を含むコンテンツを検索する（Ｓ７０４）。具体的に、当該色を主とするコンテンツ、または当該色を所定比率以上含むコンテンツを検索することができる。
【００５７】
仮に、Ｓ７０２段階で多数の色キー信号が受信されたと判断されると（Ｓ７０２でＹＥＳ）、映像処理装置１００は、多数の色キー信号が同時に受信されるか否か判断する（Ｓ７０３）。
【００５８】
多数の色キー信号が同時に受信された場合は（Ｓ７０３でＹＥＳ）、映像処理装置１００は、これら受信した色を組み合わせて得られる色を含むコンテンツを検索する（Ｓ７０５）。
【００５９】
仮に、多数の色キー信号が同時に受信された場合でないと（Ｓ７０３でＮＯ）、映像処理装置１００は、受信した順番で当該色を含むコンテンツを順次に検索する（Ｓ７０６）。
【００６０】
映像処理装置１００は、検索したコンテンツをディスプレイする（Ｓ７０７）。
【００６１】
図８は、本発明の他の実施例によるコンテンツ検索過程を示すフローチャートである。映像処理装置１００は、所定の色キー信号を受信する（Ｓ８０１）。
【００６２】
この場合、映像処理装置１００は、当該色に対応して設定されたカテゴリーに属するコンテンツを検索する（Ｓ８０２）。このために、映像処理装置１００は、それぞれの色キーに音楽、動映像及び放送などのコンテンツカテゴリーを対応付けて設定することができる。
【００６３】
映像処理装置１００は、検索されたコンテンツをディスプレイする（Ｓ８０３）。
【００６４】
以上では具体的な実施例に挙げて本発明を図示及び説明してきたが、本発明の属する技術分野における通常の知識を有する当業者にとっては、本発明の原則や精神を逸脱しない限度内で本発明を様々に変形して実施できるということが明らかである。したがって、本発明の範囲は、添付の請求項及びその均等物により定められるべきである。
【符号の説明】
【００６５】
１００    映像処理装置
１１０    映像処理部
１２０    受信部
１３０    制御部
１４０    記憶部
【図１】
2011070656.tif 000003
【図２】
2011070656.tif 000004
【図３】
2011070656.tif 000005
【図４】
2011070656.tif 000006
【図５】
2011070656.tif 000007
【図６】
2011070656.tif 000008
【図７】
2011070656.tif 000009
【図８】
2011070656.tif 000010